(57)【要約】【課題】  包装体に大きな衝撃が加わった場合であっても、被包装物をカートンの内部に保持し、被包装物がカートンの内部から脱落してしまうのを確実に防止する。【解決手段】  カートン４の一部をカートン４の内側に折り曲げることにより缶５の一部を受け入れる物品受容孔３０をカートン４に形成する物品保持手段２６を有し、物品保持手段２６は、底板２２ａ、２２ｂに連結されカートン４の内側へ折り曲げられて缶５の凹部９に係合する凹部支持タブ２８と、側壁１７に連結されカートン４の内側へ折り曲げられて缶５のうち物品受容孔３０に臨む下端部分に係合する周壁支持片３２とを備える。【選択図】      図２
2005350105.tif 000002
【特許請求の範囲】
【請求項１】
頂壁と、前記頂壁の両側縁にそれぞれ連設され前記頂壁に対して折曲される一対の側壁と、前記両側壁の一側縁に連設され前記両側壁に対して折曲される底壁とにより筒状に形成され、内部に複数の被包装物であって上壁および下壁間を周壁により連結しこれら上壁および下壁の少なくとも一方に内側に凹入された凹部を有する被包装物を収容するカートンにおいて、
前記カートンの一部を前記カートンの内側に折り曲げることにより前記被包装物の一部を受け入れる物品受容孔を前記カートンに形成する物品保持手段を有し、前記物品保持手段は、前記頂壁および前記底壁の一方に連結され前記カートンの内側へ折り曲げられて前記被包装物の前記凹部に係合する凹部支持タブと、少なくとも前記両側壁の一方に連結され前記カートンの内側へ折り曲げられて前記被包装物のうち前記物品受容孔に臨む部分の少なくとも一側に係合する周壁支持片とを備えることを特徴とするカートン。
【請求項２】
頂壁と、前記頂壁の両側縁にそれぞれ連設され前記頂壁に対して折曲される一対の側壁と、前記両側壁の一側縁に連設され前記両側壁に対して折曲される底壁とにより筒状に形成されたカートンの内部に、複数の被包装物であって上壁および下壁間を周壁により連結しこれら上壁および下壁の少なくとも一方に内側に凹入された凹部を有する被包装物が収容されている包装体において、
前記カートンは、前記カートンの一部を前記カートンの内側に折り曲げることにより前記被包装物の一部を受け入れる物品受容孔を前記カートンに形成する物品保持手段を有し、前記物品保持手段は、前記頂壁および前記底壁の一方に連結され前記カートンの内側へ折り曲げられて前記被包装物の前記凹部に係合する凹部支持タブと、少なくとも前記両側壁の一方に連結され前記カートンの内側へ折り曲げられて前記被包装物のうち前記物品受容孔に臨む部分の少なくとも一側に係合する周壁支持片とを備えることを特徴とする包装体。
【発明の詳細な説明】
【技術分野】
【０００１】
本発明はカートンおよびこのカートン内に被包装物を収納してなる包装体に係り、特に、複数の被包装物をまとめて１つに収容するのに好適なカートンおよび包装体に関する。
【背景技術】
【０００２】
従来より、缶等の被包装物をまとめて保管、運搬、販売するため、これら複数の被包装物をまとめて収容するための厚紙等からなるカートンが多用されている。
【０００３】
前述のカートンは、一般に例えば頂壁の両側縁に連設された一対の側壁と、前記両側壁の側縁に連設された底壁とにより筒状に形成されており、カートンの両端はそれぞれ開口端となっている。そして、前記カートンは、その内部に被包装物として例えば６本の缶ビールを２列×３行となるように配置し、前記カートンによって前記各缶ビールの上壁、周壁および下壁を囲繞することにより、内部に複数の缶ビールを収容するようになっている。
【０００４】
このような筒状のカートンは、カートンブランクの材料を節約するためには好適であるが、両端が開口端となっているので、収容した被包装物を内部に保持するための構成を具備しなければならない。
【０００５】
そこで、前述のカートンとして、被包装物の周壁のうち前記カートンの開口端に臨む一部分を被覆するような周壁支持片が設けられたカートンが知られている（例えば、特許文献１参照）。
【０００６】
このようなカートンによれば、周壁支持片によって被包装物の周壁を支持することによりカートンの内部において被包装物を固定することができ、これにより被包装物がカートンから抜け落ちるのを防止していた。
【０００７】
また、例えば、上壁および下壁間が周壁により連結され前記下壁に内側に凹入した凹部を有する缶ビール等の被包装物を収容するためのカートンとして、各被包装物の凹部に係合する凹部支持タブが設けられたカートンが知られている（例えば、特許文献２参照）。
【０００８】
このようなカートンによれば、凹部支持タブによって被包装物の凹部を支持することによりカートンの内部において被包装物を固定することができ、これにより被包装物がカートンから抜け落ちるのを防止していた。
【０００９】
しかし、前述の周壁支持片が設けられたカートン、または凹部支持タブが設けられたカートンにおいては、カートンに被包装物を収容した包装体に対して、多方向の揺れをともなう大きな衝撃が加わった場合、被包装物がカートンの内部から抜け落ちてしまうおそれがあるという問題を有していた。
【００１０】
【特許文献１】特開昭６１−４７３５６号公報
【特許文献２】特開２００３−３４３５４号公報
【発明の開示】
【発明が解決しようとする課題】
【００１１】
本発明はこれらの点に鑑みてなされたものであり、包装体に多方向の揺れをともなう大きな衝撃が加わった場合であっても、被包装物をカートンの内部に保持し、被包装物がカートンの内部から脱落してしまうのを確実に防止することができるカートンおよび包装体を提供することを目的とする。
【課題を解決するための手段】
【００１２】
前記目的を達成するため、本発明に係るカートンの特徴は、頂壁と、前記頂壁の両側縁にそれぞれ連設され前記頂壁に対して折曲される一対の側壁と、前記両側壁の一側縁に連設され前記両側壁に対して折曲される底壁とにより筒状に形成され、内部に複数の被包装物であって上壁および下壁間を周壁により連結しこれら上壁および下壁の少なくとも一方に内側に凹入された凹部を有する被包装物を収容するカートンにおいて、前記カートンの一部を前記カートンの内側に折り曲げることにより前記被包装物の一部を受け入れる物品受容孔を前記カートンに形成する物品保持手段を有し、前記物品保持手段は、前記頂壁および前記底壁の一方に連結され前記カートンの内側へ折り曲げられて前記被包装物の前記凹部に係合する凹部支持タブと、少なくとも前記両側壁の一方に連結され前記カートンの内側へ折り曲げられて前記被包装物のうち前記物品受容孔に臨む部分の少なくとも一側に係合する周壁支持片とを備える点にある。
【００１３】
また、本発明に係る包装体の特徴は、頂壁と、前記頂壁の両側縁にそれぞれ連設され前記頂壁に対して折曲される一対の側壁と、前記両側壁の一側縁に連設され前記両側壁に対して折曲される底壁とにより筒状に形成されたカートンの内部に、複数の被包装物であって上壁および下壁間を周壁により連結しこれら上壁および下壁の少なくとも一方に内側に凹入された凹部を有する被包装物が収容される包装体において、前記カートンは、前記カートンの一部を前記カートンの内側に折り曲げることにより前記被包装物の一部を受け入れる物品受容孔を前記カートンに形成する物品保持手段を有し、前記物品保持手段は、前記頂壁および前記底壁の一方に連結され前記カートンの内側へ折り曲げられて前記被包装物の前記凹部に係合する凹部支持タブと、少なくとも前記両側壁の一方に連結され前記カートンの内側へ折り曲げられて前記被包装物のうち前記物品受容孔に臨む部分の少なくとも一側に係合する周壁支持片とを備える点にある。
【００１４】
この本発明に係るカートンおよび包装体によれば、物品保持手段の凹部支持タブは、その先端部が少なくとも頂壁および底壁の一方を基端としてカートンの内側に向いて各下壁に臨むように突出して配置されることにより、各凹部に係合し、被包装物をその高さ方向（縦方向）に向かって支持するようになっている。このため、カートンの内部に被包装物を収容した包装体に対して横揺れが生じた場合、安定して各被包装物をカートンの内部に保持することができる。
【００１５】
一方、物品保持手段の各周壁支持片は、側壁を基端として設けられ、各被包装物の周壁のうち開口端に臨む部分に当接することにより、被包装物をその幅方向（横方向）に向かって支持するようになっている。このため、包装体への落下等による縦揺れに対して、安定して各缶をカートンの内部に保持することができる。
【００１６】
このように、物品保持手段は、縦揺れおよび横揺れの多方向の揺れに対し安定して被包装物をカートンの内部に保持することができる。
【００１７】
さらに、各周壁支持片は、カートンの内側に折曲され、カートンの内側において被包装物における物品受容孔に臨む部分と係合するようになっており、被包装物と両側壁との間において緩衝材として機能するようになっている。
【発明の効果】
【００１８】
以上述べたように、本発明に係るカートンおよび包装体によれば、物品保持手段によって縦揺れおよび横揺れの多方向の揺れに対し安定して被包装物をカートンの内部に保持することができる。すなわち、多方向への揺れが生じても、被包装物は物品保持手段によって周壁の一部分が確実に支持されカートンの内部に安定して保持されることとなる。このため、包装体に対し大きな衝撃が加えられた場合であっても、被包装物を確実にカートンの内部に保持することができる。
【００１９】
また、各周壁支持片は、被包装物と両側壁との間において緩衝材として機能するので、包装体の落下による衝撃から被包装物を保護することができるという効果を有する。
【発明を実施するための最良の形態】
【００２０】
以下、本発明に係るカートンおよび包装体の実施形態を図１から図３を参照して説明する。
【００２１】
図１は、本実施形態に係るカートンを構成するカートンブランクを示す平面図、図２は、図１のカートンブランクにより形成されたカートンの内部に複数の被包装物を収容した包装体を示す斜視図、図３は、図２のＡ−Ａ線における断面図である。
【００２２】
図１に示すように、カートンブランク１は、厚紙等により全体としてほぼ長方形状に形成されており、カートンブランク１の両端部を相互に接続させることにより、図２に示すような筒状のカートン４を形成するようになっている。なお、カートンブランク１をプラスチックやその他の材料によって形成することもできる。
【００２３】
このカートンブランク１は、その長手方向におけるほぼ中央部に略長方形状の頂壁３を有しており、頂壁３の幅寸法および長さ寸法は、このカートンブランク１により構成されたカートン４の内部に、被包装物としての複数の缶５を並列して収容可能な寸法に対応して形成されている。ここで、各缶５は、それぞれ円形状の上壁６および下壁７の間が周壁８によって連結されることにより全体形状が円筒形状となるように形成されており、下壁７は、缶５の内側に凹入されたドーム形状の凹部９が形成されている。
【００２４】
本実施形態においては、頂壁３の幅寸法は、２本の缶５を並列して配置可能な寸法に形成されており、また、頂壁３の長さ寸法は、３本の缶５を並列して配置したとき各缶５の上壁６を被覆可能な寸法に形成されている。
【００２５】
頂壁３には、一部が折曲線１１を介してこの頂壁３と連設され、運搬用開口１２を構成する一対の折曲片１３が形成されており、両折曲片１３をカートン４の内側に折曲させながら運搬用開口１２に指を挿入することにより、カートン４の内部に複数の缶５を収容した包装体１４を容易に運搬することができるようになっている。さらに、頂壁３には、頂壁３の一端縁から他端縁に至る一対の破断線１５が、両折曲片１３を間に挟んで形成されており、頂壁３における両破断線１５の間に一端縁部分を指で摘んで他端縁側に引っ張り、頂壁３を破断させることにより、包装体１４を容易に開封することができるようになっている。
【００２６】
頂壁３の両側縁には、それぞれ側壁１７がパネル折曲線１８を介して連設されており、これら両側壁１７の高さ寸法は、缶５の高さ寸法とほぼ同一となるように設けられている。
【００２７】
両側壁１７における頂壁３と連設されている一側縁とは反対側の他側縁部分は、折曲線１９を介して、各缶５の周壁８の下端部分の形状に沿うような傾斜部２０とされている。
【００２８】
また、両側壁１７の他側縁には、それぞれ長方形状の底板２２ａ、２２ｂがパネル折曲線２３を介して連設されており、両底板２２ａ、２２ｂは、両側壁１７側の一側縁とは反対の他側縁部分を相互に接着したときに、一対の底板２２ａ、２２ｂによって底壁２４を構成するようになっている。両底板２２ａ、２２ｂの幅寸法および長さ寸法は、両底板２２ａ、２２ｂが底壁２４を構成するとき、この底壁２４の幅寸法および長さ寸法が、複数の缶５を並列して収納可能な寸法となるように形成されている。
【００２９】
そして、各傾斜部２０を含む各側壁１７および各底板２２ａ、２２ｂのうち、このカートンブランク１によりカートン４を形成したときに各缶５の下端部分が対向する位置には、カートン４の一部をカートン４の内側に折曲することにより、各缶５の下端部分を受け入れる物品受容孔３０を形成する物品保持手段２６がそれぞれ設けられている。物品保持手段２６は、各缶５の下端部分を保持して、各缶５がカートン４の内部から開口端１０を介して抜け落ちるのを防止するようになっている。
【００３０】
これら物品保持手段２６は、両底板２２ａ、２２ｂにおける側壁１７側の一端縁に折曲線２５を介して連設され、「コ」字状の切断線２７によって側壁１７の方向に突出するように形成された凹部支持タブ２８を有する。各凹部支持タブ２８の両先端隅部には、缶５の凹部９の内周面の形状に沿わせるように両先端隅部をほぼ三角形状に折曲するための傾斜状の切込み線２９がそれぞれ形成されている。
【００３１】
これら凹部支持タブ２８は、カートンブランク１の組立時に折曲線２５を山折りにすることにより、底壁２４を基端としてカートン４の内側に向かって突出するようになっている。そして、図３に示すように、凹部支持タブ２８の突出した先端部を各缶５の下壁７における各下壁７に当接させることにより、各凹部９に係合されるようになっている。
【００３２】
また、各物品保持手段２６は、各凹部支持タブ２８の先端部に対向する位置に各凹部支持タブ２８と切断線２７を介して密着して形成され、一部が傾斜部２０を含む側壁１７と折曲線３１を介して連設された１対の周壁支持片３２を有する。各物品保持手段２６における１対の周壁支持片３２は、凹部支持タブ２８の先端縁において切断線３３を介し凹部支持タブ２８の突出方向と直交する方向に対向するように形成されており、各周壁支持片３２には、両側壁１７において各傾斜部２０を形成する折曲線１９と同一線上に各周壁支持片３２を容易に折曲可能とするための切込み線３５が形成されている。
【００３３】
そして、各周壁支持片３２は、カートンブランク１の組立時において、折曲線３１を山折りにしてカートン４の内側に折曲されることにより、傾斜部２０を含む両側壁１７を基端としてカートン４の内側に拡開するようになっている。このように、凹部支持タブ２８および周壁支持片３２をカートン４の内側に折曲することにより、物品受容孔３０が形成されるようになっている。
【００３４】
そして、切込み線３５を谷折りにすることにより、各周壁支持片３２の外面を各缶５の周壁８のうち開口端１０に臨む部分を含む所定の下端部分に当接させて、各缶５の周壁８の所定部分を立体的に当接し、カートン４の内側において各缶５における物品受容孔３０に臨む下端部分と係合するようになっている。
【００３５】
なお、本実施形態においては、各周壁支持片３２は、傾斜部２０を含む側壁１７のみに連結されて形成されているが、これに限定されるものではなく、例えば、各周壁支持片３２の一部が側壁１７に連結され、他の部分が底板２２ａ、２２ｂに連結されるようにしてもよい。
【００３６】
両底板２２ａ、２２ｂのうち一方の底板２２ａの他端縁部分には、幅方向に間隔を隔てて４個の「きのこ」状の連結タブ３７がそれぞれ切断線３８により形成されており、各連結タブ３７の側壁１７側の端縁部分は折曲線３９を介して底板２２ａに連設されている。他方の底板２２ｂにおける各連結タブ３７に対応する位置には、長方形状のタブ嵌合開口４０がそれぞれ切断線４１により形成されており、各タブ嵌合開口４０の側壁１７側の端縁は底板２２ｂに連設されている。そして、カートンブランク１の組立時において各連結タブ３７を各タブ嵌合開口４０に嵌合させることにより、両底板２２ａ、２２ｂを接続してカートン４の底壁２４を構成するようになっている。なお、両底板２２ａ、２２ｂの接続手段については、本実施形態に限定されず、例えば各底板２２ａ、２２ｂの端縁を相互に接着材等により接着させてもよい。
【００３７】
また、頂壁３、両側壁１７および両底板２２ａ、２２ｂの両端縁には、それぞれ凹部４３が形成されており、これにより、カートンブランク１の両長辺に沿って各凹部４３の間に位置し、頂壁３、両側壁１７および両底板２２ａ、２２ｂの隣接する各パネル折曲線１８、２３の両端部位に位置するようにそれぞれ凸部４４が形成され、各凹部４３と各凸部４４とは、それぞれ側縁を共有するようにして連設されている。
【００３８】
そして、隣位の１対の凸部４４間に位置する各凹部４３のそれぞれの輪郭形状および寸法は、各凸部４４の輪郭形状および寸法に一致するように形成されている。
【００３９】
このような構成によれば、複数のカートンブランク１を形成する際に、複数のカートンブランク１の原型を、相互にずらして各凹部４３と各凸部４４とを相互に嵌合させるように隣位させることにより各カートンブランク１の各側縁同士を完全に密着させることができ、カートンブランク１の材料を節約することができるようになっている。
【００４０】
各凸部４４のうち頂壁３および両側壁１７を跨いで形成されている凸部４４は、カートン４の内部に収容された各缶５をカートン４の内部に保持するための物品被覆手段４６を構成するようになっている。各物品被覆手段４６のうちの側壁１７側は、側壁１７において第１折曲線４７を介して設けられた折り返し片４８と、各折り返し片４８に第２折曲線４９を介して連設されたウエブ片５０とを有している。また、各物品被覆手段４６のうち頂壁３側は、頂壁３において第３折曲線５１を介して被覆片５２が設けられており、各被覆片５２は各ウエブ片５０に第４折曲線５３を介して連設されている。そして、物品被覆手段４６は、カートンブランク１の組立の際に、第２折曲線４９を谷折りにし、第１折曲線４７、第３折曲線５１および第４折曲線５３を山折りにして、カートン４の内部に収容された缶５における周壁８の上端部分を立体的に当接することができ、これにより、各缶５をカートン４内部に保持することができるようになっている。
【００４１】
次に、カートンブランク１をカートン４に組み立てる手順について説明する。
【００４２】
まず、カートンブランク１の頂壁３上に各缶５を整列配置させ、カートンブランク１の第１折曲線４７、第３折曲線５１および第４折曲線５３を山折りにするとともに、第２折曲線４９を谷折りにし、各被覆片５２およびウエブ片５０の内面を各缶５の周壁８上端部に立体的に沿わせる。また、パネル折曲線１８を山折りにして、各折り返し片４８の内面を両側壁１７の内面に当接させるとともに、両側壁１７の内面を各缶５の周壁８に沿わせる。
【００４３】
続いて、各折曲線３１を山折りにして各周壁支持片３２をカートン４の内側に折曲し、各物品受容孔３０を形成するとともに、折曲線１９およびパネル折曲線２３を山折りにして、各周壁支持片３２の外面を各缶５の周壁８の下端部分に当接させる。そして、各缶５の下端部分を各物品受容孔３０に嵌合させて、各周壁支持片３２をカートン４の内側において各缶５における物品受容孔３０に臨む下端部分と係合させる。また、各缶５の下端部分を各物品受容孔３０に嵌合させた状態を保持した上で、各凹部支持タブ２８をカートン４の内部に臨むように折曲線３５を山折りにして、それらの先端部を各缶５の凹部９に当接させる。
【００４４】
さらに、両底板２２ａ、２２ｂを重ね合わせ、各連結タブ３７を各タブ嵌合開口４０に嵌合させて、両底板２２ａ、２２ｂを接続することにより底壁２４を構成し、底壁２４により各缶５の下壁７を被覆する。
【００４５】
このようにして各缶５の上壁６、下壁７および周壁８にカートンブランク１の頂壁３、両側壁１７および底壁２４を沿わせ、各缶５の凹部９を各凹部支持タブ２８により支持し、かつ各缶５における周壁８の下端部分を各周壁支持片３２によって立体的に当接することにより、各缶５をカートン４の内部に保持することができる。
【００４６】
次に、本実施形態の作用について説明する。
【００４７】
本実施形態によれば、物品保持手段２６の凹部支持タブ２８は、その先端部が底壁２４からカートン４の内側に向いて突出し凹部９の内周面に沿うように各下壁７に当接することにより、各凹部９に係合するようになっており、各缶５をその高さ方向（縦方向）に向かって支持するようになっている。このため、包装体１４への横揺れに対して安定して各缶５をカートン４の内部に保持することができる。
【００４８】
一方、物品保持手段２６の各周壁支持片３２は、傾斜部２０を含む側壁１７を基端としてカートン４の内側に向き、各周壁支持片３２の外面が各缶５の周壁８のうち開口端１０に臨む部分を含む所定の下端部分に当接することにより、各缶５の周壁８の所定部分を立体的に当接するようになっており、各缶５をその幅方向（横方向）に向かって支持するようになっている。このため、包装体１４への落下等による縦揺れに対し安定して各缶５をカートン４の内部に保持することができる。
【００４９】
さらに、各周壁支持片３２は、カートン４の内側に折曲され、カートン４の内側において各缶５における物品受容孔３０に臨む下端部分と係合するようになっているので、各缶５と両側壁１７および両傾斜部２０との間において緩衝材として機能するようになっている。
【００５０】
したがって、物品保持手段２６によって縦揺れおよび横揺れの多方向の揺れに対し安定して各缶５をカートン４の内部に保持することができる。すなわち、多方向への揺れが生じても、各缶５は物品保持手段２６によって下端の一部分においてカートン４の内部に安定して保持されることとなる。このため、包装体１４に対し大きな衝撃が加えられた場合であっても、各缶５を確実にカートン４の内部に保持することができる。
【００５１】
また、各周壁支持片３２は、各缶５と両側壁１７および両傾斜部２０との間において緩衝材として機能するので、包装体１４の落下による衝撃から各缶５を保護することができるという効果を有する。
【００５２】
なお、本発明は前記実施形態に限定されるものではなく、必要に応じて種々変更することが可能である。
【図面の簡単な説明】
【００５３】
【図１】本発明に係るカートンを構成するカートンブランクの一実施形態を示す平面図
【図２】図１のカートンブランクにより形成されたカートンの内部に複数の被包装物を収容した包装体を示す斜視図
【図３】図２のＡ−Ａ線における断面図
【符号の説明】
【００５４】
１  カートンブランク
３  頂壁
４  カートン
５  缶
６  上壁
７  下壁
８  周壁
９  凹部
１０  開口端
１７  側壁
２２  底板
２４  底壁
２６  物品保持手段
２８  凹部支持タブ
３２  周壁支持片
４０  タブ嵌合開口
【図１】
2005350105.tif 000003
【図２】
2005350105.tif 000004
【図３】
2005350105.tif 000005